(57)【特許請求の範囲】
【請求項１】
遊技機が設置される遊技島台内に設置され、該遊技島台内を循環する遊技媒体の表面を清浄するシート状の清浄部材が上面に敷設された揺動板を揺動手段により水平方向に揺動することにより、前記清浄部材上に載置される遊技媒体を清浄する遊技媒体清浄装置であって、
前記揺動手段は、回転軸を有する駆動部材と、前記回転軸に対して偏心し相対回転不能に取り付けられるとともに前記揺動板に相対回転可能に連結された偏心部材と、で構成され、
前記遊技媒体清浄装置は、前記揺動板の四隅に配置され前記揺動板を水平方向に揺動自在に下方から支持する支持部と、前記揺動板を前記支持部に付勢し、かつ前記揺動板の自転を規制する付勢手段と、を備えており、
前記揺動板は、前記支持部に対して低摩擦手段を介して相対移動自在になっていることを特徴とする遊技媒体清浄装置。
【請求項２】
前記揺動板が、平面視略長方形状に形成されてなる請求項１に記載の遊技媒体清浄装置。
【請求項３】
前記揺動板と前記清浄部材との間に、シート状の高摩擦部材が敷設されている請求項１または２に記載の遊技媒体清浄装置。
【請求項４】
前記揺動板上に新規な清浄部材を引き出すための引出し手段が設けられている請求項１ないし３のいずれかに記載の遊技媒体清浄装置。
【請求項５】
前記引出し手段は、前記清浄部材が前記揺動板上の遊技媒体の移動方向に対して反対方向に引出されるように設けられている請求項４に記載の遊技媒体清浄装置。
【請求項６】
前記引出し手段は、前記清浄部材を予め定められた所定量ずつ引き出すように構成されている請求項４または５に記載の遊技媒体清浄装置。
【請求項７】
遊技媒体清浄装置が、防振部材を介して床面上に載置されている請求項１ないし６のいずれかに記載の遊技媒体清浄装置。
【請求項８】
遊技媒体清浄装置を構成する各部位が、前記遊技島台を構成する各部位や、遊技島台内に設置される各種装置等に対して非接触状態で設けられている請求項１ないし７のいずれかに記載の遊技媒体清浄装置。
【請求項９】
前記揺動板は、遊技媒体の移動方向に向かって上方に傾斜するように設けられている請求項１ないし８のいずれかに記載の遊技媒体清浄装置。
【発明の詳細な説明】
【０００１】
【発明の属する技術分野】
本発明は、遊技機にて遊技を行う際に使用される遊技媒体の表面を清浄する遊技媒体清浄装置に関する。
【０００２】
【従来の技術】
従来、遊技媒体としてのパチンコ玉やコイン等の表面を清浄する遊技媒体清浄装置としては、例えば特開平１０−１５６０２９号公報に開示された装置等がある。この装置は、上面に清浄部材が敷設された揺動板が水平揺動することにより、前記清浄部材上に載置されるパチンコ玉やコイン等が清浄部材に摺接されて、その表面に付着された汚れやゴミ等が拭い取られるように構成されている。
【０００３】
さらに詳しくは、揺動板は、その下方に設けられるモータの回転軸心に取り付けられる偏心部材に対して相対回転自在に固着されており、前記回転軸の回転に伴い揺動板が水平方向に揺動されるようになっている。
【０００４】
【発明が解決しようとする課題】
しかしながら、上記公報に記載の清浄装置における前記揺動板は、水平揺動時における自転を抑制すべく筒状体が下面に固着されているものの、この筒状体は水平揺動に追従して変形可能な部材により構成されているため、実質的には、その略中央部に固着されるモータの回転軸のみにより水平状態に支持されていることになる。
【０００５】
従って、揺動板を大きくすればするほど、水平揺動に伴い揺動板の端部に生じる上下方向のあばれが大となり、これにより揺動板上のパチンコ玉やコイン等の跳ね上がり等が生じて、清浄部材に対する摺接がうまくなされず、清浄作用が低減するという問題を有していた。
【０００６】
そこで、前記筒状体による保持強度を高めようとすると、揺動板の水平揺動が円滑に行われなくる恐れがあった。
【０００７】
本発明は、このような問題点に着目してなされたもので、水平揺動に伴い揺動板の端部に生じる上下方向のあばれを抑制し、揺動板を円滑に水平揺動することが出来る遊技媒体清浄装置を提供することを目的とする。
【０００８】
【課題を解決するための手段】
上記課題を解決するために、本発明の遊技媒体清浄装置は、遊技機が設置される遊技島台内に設置され、該遊技島台内を循環する遊技媒体の表面を清浄するシート状の清浄部材が上面に敷設された揺動板を揺動手段により水平方向に揺動することにより、前記清浄部材上に載置される遊技媒体を清浄する遊技媒体清浄装置であって、前記揺動手段は、回転軸を有する駆動部材と、前記回転軸に対して偏心し相対回転不能に取り付けられるとともに前記揺動板に相対回転可能に連結された偏心部材と、で構成され、前記遊技媒体清浄装置は、前記揺動板の四隅に配置され前記揺動板を水平方向に揺動自在に下方から支持する支持部と、前記揺動板を前記支持部に付勢し、かつ前記揺動板の自転を規制する付勢手段と、を備えており、前記揺動板は、前記支持部に対して低摩擦手段を介して相対移動自在になっていることを特徴としている。この特徴によれば、揺動板が、低摩擦手段を介して揺動板の四隅に配置された支持部により水平揺動自在に下方から支持されるとともに、付勢手段により支持部に付勢され、かつ自転が規制されることで、揺動板の端部に生じる上下方向のあばれが抑制され、揺動板が円滑に、かつ安定して水平揺動することになるため、清浄作用の低減が効果的に防止される。
【０００９】
本発明の遊技媒体清浄装置は、前記揺動板が、平面視略長方形状に形成されてなることが好ましい。
このようにすれば、多量の遊技媒体の清浄が可能となるとともに、遊技媒体を揺動板の長手方向に移動させながら長時間にわたり清浄することが出来る。
【００１０】
本発明の遊技媒体清浄装置は、前記揺動板と前記清浄部材との間に、シート状の高摩擦部材が敷設されていることが好ましい。
このようにすれば、清浄部材は、予め揺動板上面に固着しなくても、その上部に載置される遊技媒体の自重により高摩擦材に圧接されて揺動板とともに水平揺動することになるため、清浄効果が高まるばかりか、交換作業を容易に行える。
【００１２】
本発明の遊技媒体清浄装置は、前記揺動板上に新規な清浄部材を引き出すための引出し手段が設けられていることが好ましい。
このようにすれば、人手を要することなく清浄部材を交換出来る。
【００１３】
本発明の遊技媒体清浄装置は、前記引出し手段は、前記清浄部材が前記揺動板上の遊技媒体の移動方向に対して反対方向に引出されるように設けられていることが好ましい。
このようにすれば、汚れ度合いの高い箇所から清浄部材が巻き取られることになるので、清浄部材を効率よく使用できる。
【００１４】
本発明の遊技媒体清浄装置は、前記引出し手段は、前記清浄部材を予め定められた所定量ずつ引き出すように構成されていることが好ましい。
このようにすれば、清浄部材を常時引き出すことなく、必要に応じて適宜量の新規な清浄部材が揺動板上に引き出されて新規な清浄部材に交換されるため、経済的である。
【００１５】
本発明の遊技媒体清浄装置は、遊技媒体清浄装置が、防振部材を介して床面上に載置されていることが好ましい。
このようにすれば、揺動板の水平揺動により生じる揺動が効果的に抑制される。
【００１６】
本発明の遊技媒体清浄装置は、遊技媒体清浄装置を構成する各部位が、前記遊技島台を構成する各部位や、遊技島台内に設置される各種装置等に対して非接触状態で設けられていることが好ましい。
このようにすれば、揺動板の水平揺動により生じる揺動が、遊技島台を構成する各部位や、遊技島台内に設置される各種装置等に伝達することがないので、遊技に悪影響を及ぼすことがない。
【００１７】
本発明の遊技媒体清浄装置は、前記揺動板は、遊技媒体の移動方向に向かって上方に傾斜するように設けられていることが好ましい。
このようにすれば、遊技媒体が揺動板上に滞留する時間が長くなるので、清浄効果が高まる。
【００１８】
【発明の実施の形態】
以下、本発明の実施例を図面に基づいて説明すると、まず図１には本発明の実施例として遊技島１が示されており、この遊技島１は、前後面（後面は図示せず）に所定の台数（本実施例では４台）のパチンコ機２および該パチンコ機２に１対１に設けられるカードユニット３が配置され、内部にこれらパチンコ機２を稼動させるのに必要な適宜装置が収容されて１つの独立したユニット構成とされた遊技島台１’が、長手方向に複数連結されることにより構成されている。
【００１９】
各遊技島台１’は、図１〜図３に示されるように、左右の側板４、４’と、これら側板４、４’上部を連結する上部フレーム５と、側板４、４’下部を連結する下部フレーム６と、遊技島台１’の前後面下部を覆う腰板７と、該腰板７上部に配設される膳板１０と、遊技島台１’の前後面上部を覆う幕板８及びランプ板９と、からなり、膳板１０上面にパチンコ機２やカードユニット３を載置出来るように構成されている。
【００２０】
膳板１０には、該膳板１０上に配設されるパチンコ機２に対応して玉受皿１２を有する玉計数装置１１が固設されており、各パチンコ機２の下皿１３より玉受皿１２内に排出されたパチンコ玉は、前面に設けられたスライドレバー１４を操作することで内部に設けられた適宜カウンタ（図示略）により計数された後、遊技島台１’内部下方に設けられた回収桶部１５に排出されるようになっている。
【００２１】
回収樋部１５の下方には、特に図２及び図３に示されるように、後述する本発明の第１の実施例としての清浄装置１７が配設されており、回収樋部１５内より流入されるパチンコ玉を清浄して、その側方に配設される下部タンク１６内に排出するようになっている。この下部タンク１６の側方には、下部タンク１６内に貯留されたパチンコ玉を、上下方向に延びる揚送樋１９を介して遊技島台１’の上部に配設される上部タンク２０に揚送する揚送装置１８が配設されている。
【００２２】
上部タンク２０の前後面所定箇所には、内部のパチンコ玉をパチンコ機２へ導く補給シュート２１ａと、内部のパチンコ玉をカードユニット３へ導く補給シュート２１ｂとがそれぞれ配設されている。また、膳板１０には、パチンコ機２より排出されるアウト玉を整流するとともに、そのアウト玉数をカウンタ２２にて計数した後に前記回収樋部１５に排出するアウト玉タンク２３が、各パチンコ機２の背面位置にそれぞれ配設されている。
【００２３】
このように、各遊技島台１’内のパチンコ玉は、揚送装置１８等を介して遊技島台１’内を循環するとともに、循環の途中で清浄装置１７により適宜清浄されるようになっている。
【００２４】
次に、本発明の第１の実施例としての清浄装置１７の詳細を、図４〜図８に基づいて説明する。
【００２５】
清浄装置１７は、図４及び図５に示されるように、下面に脚部材２４が固着され、板材を折り曲げ成形することにより構成される下部ベース２５と、上部に横長長方形状の玉通路２６が形成される上部ベース２７と、から主に構成されており、上部ベース２７は、下部ベース２５の両側面に固着されたチャンネル形状の案内レール２８内に摺動自在に嵌合された複数のレール部材２９ａ、２９ｂを介して、下部ベース２５に対して水平方向にスライド移動自在に取り付けられている。なお、脚部材２４の下端には防振ゴム３０が取り付けられている。
【００２６】
上部ベース２７は、下部ベース２５の両側のレール部材２９ａ、２９ａに固着され、玉通路２６を横切るように配設される外向きコ字形の縦フレーム３１、３１と、前記縦フレーム３１、３１の上部間を連結するように玉通路２６の両側にそれぞれ配設される上向きコ字形の横フレーム３２、３２と、縦フレーム３１、３１の一側端部同士を連結する補強フレーム３３（図４参照）と、からなるフレーム枠により構成されている。
【００２７】
玉通路２６の左右側の両横フレーム３２、３２間には、玉通路２６を構成する揺動板３４を揺動させるためのモータ３５を取り付けるための固定盤３６が、特に図７に示されるように、横フレーム３２、３２の内側の上向片３２ａ、３２ａの側方より側端面に螺入されるボルト３７により固定されている。固定盤３６の略中央位置には円形の穴部３８が形成されているとともに、該穴部３８の下方には、回転軸３９が穴部３８内略中央に位置するように、取付部材４０を介してモータ３５が取り付けられている。
【００２８】
４１は、内部に上下方向を向く貫通孔４２が形成された円柱形の偏心部材であり、この貫通孔４２内に回転軸３９を嵌挿し、外周所定箇所に形成されたネジ孔より螺入された固定ネジ４３により回転軸３９に対して相対回転不能に取り付けられている。貫通孔４２の軸心は、図のように偏心部材４１の中央軸心に対して偏心しており、回転軸３９の回転により偏心部材４１が偏心回転するようになっている。
【００２９】
偏心部材４１の外周下部にはフランジ部４４が突設されており、この下面には、円盤状のバランスウェイト４５がネジ４６を介して取り付けられている。また、偏心部材４１の上端部には、中央に貫通穴４７が形成された円柱形の取付部材４８が、貫通穴４７内下部に固着された環状のベアリング４９を介して相対回転可能に、かつ、その上面が固定盤３６の上面より上方に若干突出するように取り付けられている。
【００３０】
取付部材４８の上面には、玉通路２６を構成する平面視略長方形状の揺動板３４が固定ネジ８５を介して取り付けられている。揺動板３４における長寸の縁部はそれぞれ横フレーム３２、３２の上向片３２ａよりも外方に延設されて、その先端には下向片３４ａ、３４ａが形成されている。
【００３１】
図５及び図７に示されるように、横フレーム３２、３２の上面における下向片３４ａよりも内側所定箇所には、上部に低摩擦手段としてのボールベアリング５０ａが多方向に回転自在に嵌装された支持部材５０が複数箇所に固設されており、揺動板３４の下面における四隅近傍が、支持部材５０のボールベアリング５０ａ上に水平移動自在に支持されている。また、横フレーム３２、３２の上面における支持部材５０の近傍には、揺動板３４の下面における四隅近傍に一端が固着された付勢手段としての引張りバネ５１の他端が固着されており、揺動板３４の下面四隅近傍がボールベアリング５０ａに圧接されている。
【００３２】
揺動板３４の上面には、高摩擦部材としての弾性変形可能なゴム材からなるシート部材としてのゴムシート５２が玉通路２６の長手方向にわたって敷設されているとともに、さらにこのゴムシート５２の上面には、玉通路２６内を通過するパチンコ玉の表面に付着された汚れを除去する清浄部材としての紙製のシート部材Ｓが玉通路２６の長手方向にわたって敷設されている。なお、このシート部材Ｓの材質は、パチンコ玉の表面に付着された汚れを除去し得るものであれば任意であり、特に紙製のシート部材に限定されるものでなく、例えば布製のシート部材であってもよい。
【００３３】
また、玉通路２６の両側には、縦断面略Ｌ字状のガイド部材５３が、横フレーム３２の上面に複数立設される支柱５４により玉通路２６の長手方向に延びるように固設されており、パチンコ玉の揺動板３４からの落下が規制されている。
【００３４】
図５中右側の縦フレーム３１における手前側（補強フレーム３３の反対側）端部には、下向きコ字形の支持部材５５（図４参照）が固設されており、該支持部材５５には、外周に新規のシート部材Ｓが多重に巻回された中空の芯材５７を遊挿可能な水平方向を向く取付管５６の一端が固定されている。
【００３５】
また、図５中左側の縦フレーム３１における手前側（補強フレーム３３の反対側）端部には、下向きコ字形の支持部材５８が固設されており（図５参照）、該支持部材５８には、図６に示されるように、前記芯材５７より引き出されるシート部材Ｓを巻回する中空の芯材５９を遊挿可能な巻取管６０の一端側より延設される軸部材６１が、軸周りに回転自在に枢支されている。
【００３６】
軸部材６１の端部にはプーリ６２が固着されており、このプーリ６２は、支持部材５８の上部に固定された引出し手段としての巻取モータ６３の回転軸６４の先端に固着されたプーリ６５に対して連結ベルト６６を介して連結されているため、巻取モータ６３が駆動されることにより巻取管６０が軸周りに回転するようになっている。
【００３７】
巻取管６０内には、外周面が支持部材５８側に行くに従い拡径するようにテーパ状に形成される円柱形のテーパ部材６８が所定箇所に取り付けられた棒材６９が軸周りに回転自在に設けられている。この棒材６９は、その一端が巻取管６０における図６中右側端部を閉塞する閉塞部材７０に形成される所定深さの凹部７１内に軸周りに回転自在に嵌挿される。そして、他端部が巻取管６０における図６中左側端部を閉塞する閉塞部材７２内に形成された貫通穴７３内に嵌挿されているため、棒材６９における図６中左側端部外周面には、前記貫通穴７３内に形成される雌ネジ部に螺合する雄ネジ部が形成されており、その端部に固着される巻取管６０よりも小径の把手７４を介して棒材６９を手動により軸周りに正逆回転させることにより、テーパ部材６８が軸心方向に移動するようになっている。
【００３８】
また、図６及び図８に示されるように、巻取管６０の外周における２つのテーパ部材６８にそれぞれ対応する所定箇所には、軸心方向に延びる細長のスリット孔７５が複数形成されているとともに、これらスリット孔７５には、テーパ部材６８のテーパ面に沿うように設けられる摺動板７６に対して直交状態に取り付けられる押圧板７７が出退自在に設けられている。
【００３９】
すなわち、芯材５９を巻取管６０の外周に遊嵌した状態で、把手７４を介して棒材６９を正逆いずれかの方向に回転させることにより、テーパ部材６８が図中左側に移動され、スリット孔７５より押圧板７７が突出してその先端が芯材５９の内面に圧接され、芯材５９の巻取管６０に対する軸周りの相対回転が規制されることになる。
【００４０】
７８は、巻取管６０に遊嵌される芯材５９の端部の移動を規制する円盤状のフランジであり、７９は、芯材５９の端部に固着されて、巻取るシート部材Ｓの位置ずれを防止するフランジである。また、図５に示されるように、横フレーム３２の両端部には、縦断面半円形状のガイド部材８４ａ、８４ｂがそれぞれ取り付けられている。
【００４１】
このように構成される本実施例における清浄装置１７にあっては、図５に示されるように、玉通路２６の下流側の取付管５６に、外周にシート部材Ｓが多重に巻回された芯材５７が遊挿され、このシート部材Ｓの一端が引き出されて、ガイド部材８４ａの外周に沿って折り返して揺動板３４の下流側から上流側に向けて敷設した後、反対側のガイド部材８４ｂの外周に沿って下方に向けて折り返し、巻取管６０に対して相対回転不能に取り付けられた芯材５９の外周に固定される。よって、巻取モータ６３が駆動されて巻取管６０が回転すると、芯材５６に巻回されたシート材Ｓが図５中矢印方向に引き出されて反対側の芯材５９に巻取られることになる。また、把手７４を介して棒材６９を逆方向に回転させることによりテーパ部材６８が図中右側に移動されると、押圧板７７がスリット孔７５内に退避するため、芯材５９の取り外しが可能となる。
【００４２】
また、図５中における横フレーム３２の左側端部には、パチンコ玉を貯留する貯留部８１を有する整流部材８２が取り付けられており、揺動板３４により構成される玉通路２６内にはパチンコ玉が上下方向に一列状態に整流されて流入するようになっている。また、横フレーム３２における図５中右側端部には、前述した下部タンク１６内にパチンコ玉を導くガイド部材８３が取り付けられている。
【００４３】
次に、このように構成される本実施例としての清浄装置１７の作用を図面に基づいて説明する。
【００４４】
まず清浄装置１７は、図２、図３及び図９に示されるように、整流部材８２が、回収樋部１５の一部を構成する排出樋１５ａの最下流部に形成される排出部８０の下方に位置し、かつ、ガイド部材８３の下流側端部が下部タンク１６の側面に形成される穴部１６ａ内に遊挿されるように、脚部材２４下端の防振ゴム３０の下面が床面Ｆ上に直接接地されるように配設されている。すなわち、前記整流部材８２やガイド部材８３を含め清浄装置１７を構成する各部位が、遊技島台１’や、その内部に配設される各種部材や装置等に対して非接触状態となるように遊技島台１’内下部に配設される。
【００４５】
このように清浄装置１７が防振ゴム３０を介して床面Ｆ上に載置されるように構成されているため、装置全体の揺動が抑制されるとともに、回収樋部１５内に回収されたパチンコ玉は、排出樋１５ａを流下して排出部８０より下方に落下されて整流部材８２の貯留部８１を介して玉通路２６に流入して玉通路２６を通過した後、ガイド部材８３を通過して下部タンク１６内に排出されることになる。
【００４６】
ここで、図７に示されるように、この玉通路２６を構成する揺動板３４は、その中央部が、前述のようにモータ３５の回転軸３９に対して偏心する偏心部材４１の上端にベアリング４９を介して相対回転可能に取り付けられる取付部材４８に取り付けられているため、モータ３５を駆動させて回転軸３９が回転されると偏心部材４１が偏心回転し、それに伴い揺動板３４が水平方向に揺動されることになる。この揺動板３４の水平揺動に伴いシート部材Ｓが水平揺動され、その上部に載置される個々のパチンコ玉が摺動し、その表面がシート部材Ｓに対して擦り付けられるため、玉通路２６を通過する間にパチンコ玉の表面に付着した汚れやゴミ等がシート部材Ｓに拭い取られて清浄されることになる。
【００４７】
そして横長形状に形成された揺動板３４は、その下面における四隅近傍が、支持部材５０にボールベアリング５０ａを介して支持されているため、揺動板３４の端部に生じる上下方向のあばれが抑制され、揺動板３４が円滑に、かつ安定して水平揺動することになるため、パチンコ玉が確実にシート部材Ｓに摺接して効果的に清浄されることになる。
【００４８】
さらに、付勢手段としての引張りバネ５１を介してボールベアリング５０ａにに対して付勢されていることで、揺動板３４の自転が規制されるとともに、水平揺動によりその長手方向両端部に生じる上下方向の撓みが効果的に防止され、安定性が向上する。
【００４９】
また、シート部材Ｓはパチンコ玉の自重により高摩擦材としてのゴムシート５２に対して圧接されるため、揺動板３４の水平揺動が効果的に伝達され、清浄効果が高まるばかりか、予めゴムシート５２上面に固着する必要がないので、交換を容易に行える。また、揺動により生じる接触音等が抑制される。
【００５０】
また、本実施例における揺動板３４は、図１０に示されるように、図中左側端部から右側端部、すなわち上流側から下流側に向けて若干上方に傾斜するように配設されているため、揺動板３４上に流入されたパチンコ玉は比較的長い時間揺動板３４上に滞留して清浄されることになる。これらのパチンコ玉は上流側より流入されるパチンコ玉により押し出されて下流側に向けて徐々に移動され、下部タンク１６に排出される。
【００５１】
また、このような清浄装置１７にあっては、営業時間中においてモータ３５を常時駆動させておけばパチンコ玉の清浄が確実に行われることになるが、図１１に示されるように、例えば整流部材８２における貯留部８１を構成する側壁所定高さ位置に、図示しない制御装置に電気的に接続された検出センサ８６を設け、前記制御装置を介して、貯留部８１内に所定量のパチンコ玉が貯留されたことが近接センサ８６により検出された時点でモータ３５を駆動するように制御すれば、玉通路２６内にパチンコ玉がある程度滞留された時点で清浄が行われることになり、パチンコ玉の清浄を確実に、かつ効率的に行うことが出来る。
【００５２】
なお、このようなモータ３５の駆動制御は、例えば所定時間毎に所定時間駆動するように制御すること等も可能であり、特に前記検出センサ８６を用いた制御に限定されるものではない。
【００５３】
また、本実施例における清浄装置１７にあっては、図５に示されるように、引出し手段としての巻取モータ６４を駆動させることにより、取付管６０が軸周りに回転して芯材５７に巻回された新規なシート部材Ｓが揺動板３４のゴムシート５２上面に引き出されるとともに、汚れたシート部材Ｓは取付管６０に対して相対回転不能に取り付けられた芯材５９の外周にコンパクトに巻回される。すなわち、パチンコ玉の清浄によりシート部材Ｓが汚れた場合、新規なシート部材Ｓを玉通路２６上に容易に敷設出来るようになっているとともに、汚れたシート部材Ｓは芯材５９に巻回することでコンパクトに収容しておくことが出来るばかりか、回収作業等が容易になる。
【００５４】
シート部材Ｓの巻取り長さは任意であり、例えば１度に玉通路２６の長手幅分のシート部材Ｓが巻取られるようにしてもよいし、玉通路２６の長手幅の半分のシート部材Ｓが巻取られるようにしてもよい。本実施例においては、巻取モータ３５に内蔵されたロータリーエンコーダ（図示略）により検出される回転軸６４の回転量に基づいて回転軸６４の回転制御がなされており、これによりシート部材Ｓが所定量ずつ巻取られるようになっているが、巻取量の制御はこのような制御方法に限定されるものではなく、任意に変更可能である。
【００５５】
また、本実施例においては、巻取モータ６３は予め定められた所定時間おきに駆動するように制御されているが、巻取モータ３５の駆動制御方法は任意であり、例えば揺動板３４を揺動させるモータ３５の総駆動時間に基づいて巻取モータ６３が駆動されるように制御してもよい。
【００５６】
また、パチンコ玉は玉通路２６上を下流側に移動しながら徐々に清浄されていくため、シート部材Ｓは基本的に下流側より上流側の方が汚れやすいことになる。よって、巻取モータ６４により回転する取付管６０を玉通路２６における上流側に設けることにより、シート部材Ｓは汚れ度合いの高い箇所から巻き取られることになるので、例えば上記のように玉通路２６の長手幅分のシート部材Ｓを１度に全て交換しなくても、長手幅の半分ずつ巻取るようにしたり、あるいは少しずつ徐々に巻取るようにした場合等において、シート部材Ｓを効率よく使用出来ることになる。
【００５７】
また、シート部材Ｓの芯材５７、５９は、下部ベース２５に対して水平方向にスライド移動可能に取り付けられた上部ベース２７に取付可能とされているため、図３に示されるように、腰板７を外して遊技島台１’下部を開放し、上部ベース２７を図中２点鎖線で示されるように手前側にスライド移動させることで、シート部材の交換やメンテナンス等を、遊技島台１’の外部において容易に行うことが出来る。
【００５８】
なお、本実施例における回収樋部１５は、図９及び図１２に示されるように、清浄装置１７にパチンコ玉を導く排出樋１５ａの反対側にはパチンコ玉を下部タンク１６に直接導くオーバーフロー樋１５ｂが形成されており、特に図１２に示されるように、排出樋１５ａの上流側までパチンコ玉が滞留した場合、新たに回収されるパチンコ玉はオーバーフロー樋１５ｂを介して下部タンク１６の上面に形成される穴部１６ｂ内に落下されるようになっている。よって、例えば短時間内に大量のパチンコ玉が回収されたり、清浄装置１７のモータ３５が故障した場合等にあっても、パチンコ玉の循環が滞ることがない。
【００５９】
次に、本発明の清浄装置の第２実施例を、図１３〜図１８に基づいて説明する。
【００６０】
本実施例における清浄装置１１７は、図１３及び図１４に示されるように、下面に脚部材１２４が固着され、上部に設けられる長方形状の玉通路１２６の長手方向両端側に、該玉通路１２６を横切るように配設される断面略コ字状の２本の縦フレーム１３１、１３１と、前記両縦フレーム１３１、１３１同士を連結する断面略Ｌ字形状の上部横フレーム１３２ａ、１３２ａ、及び下部横フレーム１３２ｂ、１３２ｂとからなるフレーム枠体により主に構成されている。なお、脚部材１２４の下端には防振ゴム１３０が取り付けられている。
【００６１】
玉通路１２６の両上部横フレーム１３２、１３２間には、玉通路１２６を構成する揺動板１３４を揺動させるためのモータ１３５を取り付けるための固定盤１３６が、特に図１５に示されるように、上部横フレーム１３２ａ、１３２ａの内側の上向片１３２ｃ、１３２ｃの側方より側端面に螺入されるネジ１３７により固定されている。また、固定盤１３６の略中央位置には所定大きさの穴部１３８が形成されているとともに、該穴部１３８の下方には、回転軸１３９が穴部１３８内略中央に位置するように、取付部材１４０を介してモータ１３５が取り付けられている。
【００６２】
１４１は、内部に上下方向を向く貫通孔１４２が形成された円柱形の偏心部材であり、この貫通孔１４２内に回転軸１３９を嵌挿し、外周所定箇所に形成されたネジ孔より固定ネジ１４３を螺入することにより、回転軸１３９に対して相対回転不能に取り付けられている。貫通孔１４２の軸心は、図のように偏心部材１４１の中央軸心に対して偏心しており、回転軸１３９の回転により偏心部材１４１が偏心回転するようになっている。
【００６３】
偏心部材１４１の外周下部にはフランジ部１４４が突設されており、この下面には、円盤状のバランスウェイト１４５がネジ１４６を介して取り付けられている。また、偏心部材１４１の上端部には、中央に貫通穴１４７が形成された円柱形の取付部材１４８が、貫通穴１４７内に固着された環状のベアリング１４９を介して相対回転可能に、かつ、その上面が穴部１３８より固定盤１３６の上面より上方に若干突出するように取り付けられている。
【００６４】
取付部材１４８の上面には、玉通路１２６を構成する長方形状の揺動板１３４が固定ネジ１８５を介して取り付けられている。揺動板１３４における長寸の縁部はそれぞれ上部横フレーム１３２ａ、１３２ａの上向片１３２ｃよりも外方に延設されて、その先端には下向片１３４ａ、１３４ａが形成されている。
【００６５】
図１３及び図１５に示されるように、上部横フレーム１３２ａ、１３２ａの水平片１３２ｄにおける下向片１３４ａよりも内側所定箇所には、上部に、テフロン樹脂等の低摩擦材からなる滑動板２３１が設けられた支持部材１５０が複数固設されており、揺動板１３４の下面における四隅近傍が、支持部材１５０の滑動板２３１により水平移動自在に支持されるようになっている。また、水平片１３２ｄ上面における支持部材１５０の近傍には、揺動板１３４の下面における四隅近傍に一端が固着された引張りバネ１５１の他端が固着されており、揺動板１３４の下面四隅近傍が滑動板２３１に付勢されている。
【００６６】
揺動板１３４の上面には、所定厚みのゴム材からなるゴムシート１５２が玉通路１２６の長手方向にわたって敷設されているとともに、さらにこのゴムシート１５２の上面には、玉通路１２６内を通過するパチンコ玉の表面に付着された汚れを除去する清浄部材としての布製のシート部材Ｓが玉通路１２６の長手方向にわたって敷設されている。
【００６７】
縦フレーム１３１、１３１それぞれの長手方向両端には、横断面略コ字形の支持部材２００、２００’、２０１、２０１’がそれぞれ固着されている。２本の縦フレーム１３１、１３１における図１３中右側に固設される支持部材２００、２００’下部は縦フレーム１３１の下方に延設されており、両支持部材２００、２００’間には芯材１５７の外周に多重に巻回されたシート部材Ｓを保持する保持片２０２が設けられている（図１４、１６参照）。
【００６８】
支持部材２００、２００’における上下方向略中央位置には、図１８に示されるように、芯材１５７の外周に巻回されたシート部材Ｓを巻取る芯材１５９を着脱自在に保持する保持機構２０９が設けられている。この保持機構２０９は、支持部材２００’の屈曲片２００ａ’及び縦フレーム１３１を貫通する軸部材２０３の一端に固着された保持部材２０４と、支持部材２００の屈曲片２００ａ、縦フレーム１３１、及びこの外面に固着された板材２０７を貫通する軸部材２０５の一端に、軸周りに回転自在に軸着された保持部材２０６とから構成されている。
【００６９】
軸部材２０５の外周面には、板材２０７に形成された貫通穴２０７ａ内周面に形成された雌ネジ部に螺合する雄ネジ部が形成されており、保持部材２０６の反対側端部に取り付けられた把手１７４を軸周りに正逆回転させることにより保持部材２０６が図中矢印方向に移動するようになっている。また、これら保持部材２０４、２０６には、内方にいくに従い先細りとなるテーパ面が形成されている。
【００７０】
すなわち、保持部材２０６を図中２点鎖線で示される位置に保持した状態で芯材１５９の一端を保持部材２０４のテーパ面に嵌合し、把手１７４を回転させて保持部材２０６のテーパ面を芯材１５９の他端部に嵌合することで芯材１５９を保持出来るとともに、把手１７４を逆回転させて保持部材２０６を後退させれば芯材１５９を容易に取り外すことが出来る。また、軸部材２０３の外方端部にはプーリ２０８が固着されている。
【００７１】
支持部材２００、２００’における保持機構２０９の上部には、図１４、図１６、図１７に示されるガイドローラ２１０が、その両端より延設される軸部材２１１を介して軸周りに回転自在に枢支されている。この軸部材２１１における支持部材２００の外方に延設された端部には、図１７に示されるように、外周に複数の遮光片２１２ａが形成された遮光盤２１２が、支持部材２００の上部外面に取り付けられたコ字形の回転センサ２１３の両遊端部にそれぞれ設けられる投光器及び受光器（特に図示せず）間を通過するように取り付けられており、この回転センサ２１３により、後述するようにシート部材Ｓの巻取りに伴い回転するガイドローラ２１０の軸部材２１１の回転数を検出することにより、シート部材Ｓの巻取り長さを制御している。
【００７２】
軸部材２１１における支持部材２００’の外方に延設された端部には、図１６に示されるように、後述する連動部材２１４の外周に形成された歯部２１５に噛合するギヤ２１６が取り付けられている。
【００７３】
支持部材２００、２００’間におけるガイドローラ２１０の下方には連結棒２１７が軸周りに回転自在に枢支されており、この連結棒２１７における支持部材２００’側の端部には前記連動部材２１４が固着されている。この連動部材２１４の外周面には、前述したようにギヤ２１６に噛合する歯部が２１５が内側に形成されているとともに、その外側にはプーリ２１９が形成されており、該プーリ２１９及びプーリ２０８には連結ベルト２２０が巻装されて両者が連動するようになっている。一方、連結棒２１７における支持部材２００側の端部にはプーリ２１８が固着されている（図１７参照）。
【００７４】
図１７に示されるように、縦フレーム１３１内面における支持部材２００近傍には、シート部材Ｓ巻取用の巻取モータ１６３が固設されている。この巻取モータ１６３の回転軸１６４は縦フレーム１３１を貫通して外方に延設され、その先端にはプーリ２２１が固着されているとともに、プーリ２２１及びプーリ２１８には連結ベルト２２２が巻装されて両者が連動するようになっている。なお、２３１は連結ベルト２２２のガイドローラである。
【００７５】
図１４に戻って、玉通路１２６を挟んで反対側の支持部材２０１、２０１’間には、シート部材Ｓ折り返し用のガイドローラ２２３が、軸部材２３２を介して軸周りに回転自在に枢支されている。なお、これら支持部材２００、２００’の内側の屈曲片２００ｂ、２００ｂ’上部間、及び支持部材２０１、２０１’の内側の屈曲片（図示略）上部間には、シート部材Ｓを案内するリング片２２４が外周に設けられたガイド棒２２５が架設されている。
【００７６】
図１４及び図１５に示される２２６は、芯材１５７より引き出された後にガイドローラ２２３を介して反対側のガイドローラ２１０方向に折り返されるシート部材Ｓを、揺動板１３４上面に載置されるパチンコ玉の上部に接するように保持する保持板であり、その上面に固設される支柱２２７を介して長手方向に配設される支持棒２２８の長手方向両端部が、玉通路１２６を挟んで互いに対向する支持部材２００、２０１上部間、及び支持部材２００’、２０１’上部間に架設される各ガイド棒２２９、２２９の上面に載置されることで（図１３参照）、玉通路１２６の上方所定位置に保持されている。
【００７７】
そして、芯材１５７の外周に巻回されたシート部材Ｓは、図１４に示されるように支持部材２００、２００’間下部に保持されており、そこから引き出されたシート部材Ｓの一端は、揺動板３４上を横切るように敷設された後、ガイドローラ２２３を介して折り返され、保持板２２６の下面に沿うようにして反対側に引き出され、さらにガイドローラ２１０外周に巻装されて芯材１５９に取り付けられる。
【００７８】
また、図１４に示されるように、玉通路１２６における左右側には、パチンコ玉の玉通路１２６からの落下を規制するガイド部材２３０が、玉通路１２６の長手方向に沿うように設けられている。
【００７９】
また、図１３中における左側の支持部材２００’（図示略）、２０１’には、パチンコ玉を貯留する貯留部１８１を有する整流部材１８２が取り付けられており、揺動板１３４により構成される玉通路１２６内にはパチンコ玉が上下方向に一列状態に整流されて流入するようになっている。また、図１３中における支持部材２００（図示略）、２０１には、前述した下部タンク１６内にパチンコ玉を導くガイド部材１８３が取り付けられている。
【００８０】
このように構成される本発明の第２実施例としての清浄装置１１７にあっては、前述の第１実施例の清浄装置１７と同様に、図２、図３に示されるように遊技島台１’内下部に配設され、回収樋部１５内に回収されたパチンコ玉は、排出樋１５ａを流下して排出部８０より下方に落下されて整流部材１８２の貯留部１８１を介して玉通路１２６に流入し後、ガイド部材１８３を通過して下部タンク１６内に排出されることになる。
【００８１】
ここで、玉通路１２６を構成する揺動板１３４は、その中央部が、前述のようにモータ１３５の回転軸１３９に対して偏心する偏心部材１４１の上端にベアリング１４９を介して相対回転可能に取り付けられる取付部材１４８に取り付けられている。すなわち、モータ１３５を駆動させて回転軸１３９が回転されると偏心部材１４１が偏心回転し、それに伴い揺動板１３４が水平方向に揺動されることになる。この揺動板１３４の水平揺動に伴いシート部材Ｓが水平揺動され、その上部に載置される個々のパチンコ玉が摺動し、その表面がシート部材Ｓに対して擦り付けられるため、玉通路１２６を通過する間にパチンコ玉の表面に付着した汚れやゴミ等がシート部材Ｓに拭い取られて清浄されることになる。また、その他前述の実施例と同様の構造部分に関しては、前述と同様の効果・作用が得られることになる。
【００８２】
また、本実施例における清浄装置１１７にあっては、図１４に示されるように、巻取装置としての巻取モータ１６３を駆動させることにより回転軸１６４が回転されると、連結棒２１７を介してガイドローラ２１０及び保持部材２０３が回転され、この回転に伴い芯材１５９が回転することにより、芯材１５７に巻回された新規なシート部材Ｓが揺動板３４上面に引き出されるようになっている。すなわち、パチンコ玉の清浄により汚れたシート部材Ｓを巻取ると同時に新規なシート部材Ｓが玉通路１２６上に敷設されるようになっている。
【００８３】
このように本発明にあっては、前述の実施例のように新規のシート部材Ｓを玉通路２６の下流側から上流側に向けて引き出したり、本実施例のように玉通路１２６を横切る方向に引き出すように構成してもよい。
【００８４】
また、新規なシート部材Ｓが巻回される芯材１５７と、汚れたシート部材Ｓを巻回する芯材１５９とが、玉通路１２６の長手方向いずれか一方側に配設されているため、シート部材Ｓの交換を遊技島台１’の前方側、もしくは後方側のいずれかの側から容易に行うことが出来る。
【００８５】
また、揺動板１３４上に引き出されたシート部材Ｓは、ガイドローラ２２３を介して折り返された後、保持板２２６により玉通路１２６上のパチンコ玉の上部に摺接しながら反対側に移動されるようになっているため、パチンコ玉をより効果的に清浄出来るとともに、揺動板１３４の揺動時におけるパチンコ玉の飛びはねによる落下が防止されるばかりか、騒音等が抑制される。
【００８６】
前記各実施例における各要素は、本発明に対して以下のように対応している。
【００８７】
本発明の請求項１は、遊技機（パチンコ機２）が設置される遊技島台（１’）内に設置され、該遊技島台（１、１’）内を循環する遊技媒体（パチンコ玉）の表面を清浄するシート状の清浄部材（シート部材Ｓ）が上面に敷設された揺動板（３４、１３４）を揺動手段により水平方向に揺動することにより、前記清浄部材（シート部材Ｓ）上に載置される遊技媒体（パチンコ玉）を清浄する遊技媒体清浄装置（清浄装置１７、１１７）であって、前記揺動手段は、回転軸（３９、１３９）を有する駆動部材（モータ３５、１３５）と、前記回転軸に対して偏心し相対回転不能に取り付けられるとともに前記揺動板に相対回転可能に連結された偏心部材（４１、１４１）と、で構成され、前記遊技媒体清浄装置は、前記揺動板の四隅に配置され前記揺動板を水平方向に揺動自在に下方から支持する支持部（支持部材５０、１５０）と、前記揺動板を前記支持部に付勢し、かつ前記揺動板の自転を規制する付勢手段（引張りバネ５１、１５１）と、を備えており、前記揺動板は、前記支持部に対して低摩擦手段を介して相対移動自在になっている。
【００８８】
本発明の請求項２は、前記揺動板（３４、１３４）が、平面視略長方形状に形成されてなる。
【００８９】
本発明の請求項３は、前記揺動板（３４、１３４）と前記清浄部材（シート部材Ｓ）との間に、シート状の高摩擦部材（ゴムシート５２、１５２）が敷設されている。
【００９１】
本発明の請求項４は、前記揺動板（３４、１３４）上に新規な清浄部材（シート部材Ｓ）を引き出すための引出し手段（巻取モータ６３、１６３）が設けられている。
【００９２】
本発明の請求項５は、前記引出し手段（巻取モータ６３、１６３）は、前記清浄部材（シート部材Ｓ）が前記揺動板（３４、１３４）上の遊技媒体（パチンコ玉）の移動方向に対して反対方向に引出されるように設けられている。
【００９３】
本発明の請求項６は、前記引出し手段（巻取モータ６３、１６３）は、前記清浄部材（シート部材Ｓ）を予め定められた所定量ずつ引き出すように構成されている。
【００９４】
本発明の請求項７は、遊技媒体清浄装置（清浄装置１７、１１７）が、防振部材（防振ゴム２４、１２４）を介して床面上に載置されている。
【００９５】
本発明の請求項８は、遊技媒体清浄装置（清浄装置１７、１１７）を構成する各部位が、前記遊技島台（１’）を構成する各部位や、遊技島台内に設置される各種装置等に対して非接触状態で設けられている。
【００９６】
本発明の請求項９は、前記揺動板（３４、１３４）は、遊技媒体（パチンコ玉）の移動方向に向かって上方に傾斜するように設けられている。
【００９７】
以上、本発明の実施例を図面により説明してきたが、具体的な構成はこれら実施例に限られるものではなく、本発明の要旨を逸脱しない範囲における変更や追加があっても本発明に含まれる。
【００９８】
例えば、玉通路を構成する揺動板の形状や大きさ等は任意であり、種々に変形可能である。
【００９９】
また、上記実施例において、揺動板を支持する支持部材５０、１５０は、揺動板の下面四隅を下方から支持するように設けられていたが、配設位置や配設数等は任意であり、特に記載された場所や個数に限定されるものではない。
【０１００】
また、上記実施例において、揺動板３４、１３４は、低摩擦手段としてのボールベアリング５０ａ、滑動部材２３１を介して支持部材５０、１５０により支持されていたが、低摩擦手段としてグリスを適用することも可能である。
【０１０１】
さらに、請求項中に記載の遊技媒体は、上記実施例における球状のパチンコ玉に対応しているが、特にこれに限定されるものではなく、例えば遊技機としてのスロットマシン等に使用されるコイン等であってもよい。
【０１０２】
【発明の効果】
本発明は以下の効果を奏する。
【０１０３】
（ａ）請求項１項の発明によれば、揺動板が、低摩擦手段を介して揺動板の四隅に配置された支持部により水平揺動自在に下方から支持されるとともに、付勢手段により支持部に付勢され、かつ自転が規制されることで、揺動板の端部に生じる上下方向のあばれが抑制され、揺動板が円滑に、かつ安定して水平揺動することになるため、清浄作用の低減が効果的に防止される。
【０１０４】
（ｂ）請求項２項の発明によれば、多量の遊技媒体の清浄が可能となるとともに、遊技媒体を揺動板の長手方向に移動させながら長時間にわたり清浄することが出来る。
【０１０５】
（ｃ）請求項３項の発明によれば、清浄部材は、予め揺動板上面に固着しなくても、その上部に載置される遊技媒体の自重により高摩擦材に圧接されて揺動板とともに水平揺動することになるため、清浄効果が高まるばかりか、交換作業を容易に行える。
【０１０７】
（ｄ）請求項４項の発明によれば、人手を要することなく清浄部材を交換出来る。
【０１０８】
（ｅ）請求項５項の発明によれば、汚れ度合いの高い箇所から清浄部材が巻き取られることになるので、清浄部材を効率よく使用できる。
【０１０９】
（ｆ）請求項６項の発明によれば、清浄部材を常時引き出すことなく、必要に応じて適宜量の新規な清浄部材が揺動板上に引き出されて新規な清浄部材に交換されるため、経済的である。
【０１１０】
（ｇ）請求項７項の発明によれば、揺動板の水平揺動により生じる揺動が効果的に抑制される。
【０１１１】
（ｈ）請求項８項の発明によれば、揺動板の水平揺動により生じる揺動が、遊技島台を構成する各部位や、遊技島台内に設置される各種装置等に伝達することがないので、遊技に悪影響を及ぼすことがない。
【０１１２】
（ｉ）請求項９項の発明によれば、遊技媒体が揺動板上に滞留する時間が長くなるので、清浄効果が高まる。
【図面の簡単な説明】
【図１】本発明の適用された遊技島台を示す斜視図である。
【図２】図１の遊技島台の内部構造を示す正面図である。
【図３】図１の遊技島台の内部構造を示す側面図である。
【図４】図２における清浄装置のＡ−Ａ断面図である。
【図５】図４のＢ−Ｂ断面図である。
【図６】図５のＣ−Ｃ断面図である。
【図７】図５のＤ−Ｄ断面図である。
【図８】図６のＥ−Ｅ断面である。
【図９】本発明の第１実施例としての清浄装置の作用を示す概略図である。
【図１０】清浄装置の要部を示す概略図である。
【図１１】図９の要部拡大断面図である。
【図１２】同じく図９の要部拡大断面図である。
【図１３】本発明の第２実施例としての清浄装置を示す一部破断正面図である。
【図１４】図１３のＦ−Ｆ断面図である。
【図１５】図１４の要部拡大断面図である。
【図１６】清浄装置の要部を示す斜視図である。
【図１７】同じく清浄装置の要部を示す斜視図である。
【図１８】清浄装置の要部を示す正面図である。
【符号の説明】
１、１’          遊技島台
２                パチンコ機
３                カードユニット
４、４’          側板
５                上部フレーム
６                下部フレーム
７                腰板
８                幕板
９                ランプ板
１０              膳板
１１              玉計数装置
１２              玉受皿
１３              下皿
１４              スライドレバー
１５              回収樋部
１５ａ            排出樋
１５ｂ            オーバーフロー樋
１６              下部タンク
１６ａ、１６ｂ    穴部
１７              清浄装置
１８              揚送装置
１９              揚送樋
２０              上部タンク
２１ａ、２１ｂ    補給シュート
２２              カウンタ
２３              アウト玉タンク
２４              脚部材
２５              下部ベース
２６              玉通路
２７              上部ベース
２８              案内レール
２９ａ、２９ｂ    レール部材
３０              防振ゴム
３１              縦フレーム
３２              横フレーム
３２ａ            上向片
３３              補強フレーム
３４              揺動板
３４ａ            下向片
３５              モータ
３６              固定盤
３７              ボルト
３８              穴部
３９              回転軸
４０              取付部材
４１              偏心部材
４２              貫通孔
４３              固定ネジ
４４              フランジ部
４５              バランスウェイト
４６              ネジ
４７              貫通穴
４８              取付部材
４９              ベアリング
５０              支持部材
５０ａ            ボールベアリング
５１              引張りバネ
５２              ゴムシート
５３              ガイド部材
５４              支柱
５５              支持部材
５６              取付管
５７              芯材
５８              支持部材
５９              芯材
６０              巻取管
６１              軸部材
６２              プーリ
６３              巻取モータ
６４              回転軸
６５              プーリ
６６              連結ベルト
６８              テーパ部材
６９              棒材
７０              閉塞部材
７１              凹部
７２              閉塞部材
７３              貫通穴
７４              把手
７５              スリット孔
７６              摺動板
７７              押圧板
７８、７９        フランジ
８０              排出部
８１              貯留部
８２              整流部材
８３              ガイド部材
８４ａ、８４ｂ    ガイド部材
８５              固定ネジ
８６              検出センサ
１１７            清浄装置
１２４            脚部材
１２６            玉通路
１３０            防振ゴム
１３１            縦フレーム
１３２ａ          上部横フレーム
１３２ｂ          下部横フレーム
１３２ｃ          上向片
１３２ｄ          水平片
１３４            揺動板
１３４ａ          下向片
１３５            モータ
１３６            固定盤
１３７            ネジ
１３８            穴部
１３９            回転軸
１４０            取付部材
１４１            偏心部材
１４２            貫通孔
１４３            固定ネジ
１４４            フランジ部
１４５            バランスウェイト
１４６            ネジ
１４７            貫通穴
１４８            取付部材
１４９            ベアリング
１５０            支持部材
１５０ａ          ボールベアリング
１５１            引張りバネ
１５２            ゴムシート
１５７            芯材
１５９            芯材
１６３            巻取モータ
１６４            回転軸
１７４            把手
１８１            貯留部
１８２            整流部材
１８３            ガイド部材
１８５            固定ネジ
２００、２００’  支持部材
２００ａ、２００ｂ    屈曲片
２００ａ’、２００ｂ’  屈曲片
２０１、２０１’  支持部材
２０２            保持片
２０３            軸部材
２０４            保持部材
２０５            軸部材
２０６            保持部材
２０７            板材
２０７ａ          貫通穴
２０８            プーリ
２０９            保持機構
２１０            ガイドローラ
２１１            軸部材
２１２            遮光盤
２１２ａ          遮光片
２１３            回転センサ
２１４            連動部材
２１５            歯部
２１６            ギヤ
２１７            連結棒
２１８、２１９    プーリ
２２０            連結ベルト
２２１            プーリ
２２２            連結ベルト
２２３            ガイドローラ
２２４            リング片
２２５            ガイド棒
２２６            保持板
２２７            支柱
２２８            支持棒
２２９            ガイド棒
２３０            ガイド部材
２３１            滑動部材
２３２            軸部材
Ｆ                床面
Ｓ                シート部材
【図１】
0004646087.tif 000002
【図２】
0004646087.tif 000003
【図３】
0004646087.tif 000004
【図４】
0004646087.tif 000005
【図５】
0004646087.tif 000006
【図６】
0004646087.tif 000007
【図７】
0004646087.tif 000008
【図８】
0004646087.tif 000009
【図９】
0004646087.tif 000010
【図１０】
0004646087.tif 000011
【図１１】
0004646087.tif 000012
【図１２】
0004646087.tif 000013
【図１３】
0004646087.tif 000014
【図１４】
0004646087.tif 000015
【図１５】
0004646087.tif 000016
【図１６】
0004646087.tif 000017
【図１７】
0004646087.tif 000018
【図１８】
0004646087.tif 000019